(57)【要約】【課題】複数の試料についての蒸留性状データを容易に比較することができるガスクロマトグラフ、並びに、これに用いられる表示制御装置及び表示制御プログラムを提供する。【解決手段】ガスクロマトグラムに基づいて、留出量と留出温度との関係を蒸留性状データとして算出し、複数の試料についての蒸留性状データＤ１，Ｄ２，Ｄ３を、互いに対応付けられた状態で一度に表示部に表示させる。複数の試料についての蒸留性状データＤ１，Ｄ２，Ｄ３が一度に表示部に表示されるため、それらの蒸留性状データを１つずつ表示部に表示させて比較する必要がない。そのため、複数の試料についての蒸留性状データを容易に比較することができる。【選択図】  図３
2015118013.tif 000002
【特許請求の範囲】
【請求項１】
石油系炭化水素を試料成分として含む試料が導入されるカラムと、
前記カラムを通過する過程で分離された試料成分を検出する検出器と、
前記検出器における検出結果に基づいてガスクロマトグラムを生成するガスクロマトグラム生成部と、
前記ガスクロマトグラム生成部により生成されたガスクロマトグラムに基づいて、留出量と留出温度との関係を蒸留性状データとして算出する蒸留性状データ算出部と、
前記蒸留性状データ算出部により算出された蒸留性状データを表示する表示部と、
複数の試料についての蒸留性状データを、互いに対応付けられた状態で一度に前記表示部に表示させる表示制御部とを備えたことを特徴とするガスクロマトグラフ。
【請求項２】
蒸留性状データのパラメータの基準値の入力を受け付ける基準値入力受付部と、
前記基準値入力受付部により入力を受け付けた基準値にパラメータが近似する蒸留性状データを検索する蒸留性状データ検索部とをさらに備え、
前記表示制御部は、前記蒸留性状データ検索部により検索された複数の蒸留性状データを前記表示部に表示させることを特徴とする請求項１に記載のガスクロマトグラフ。
【請求項３】
前記蒸留性状データのパラメータには、初留点、終点、及び、所定の温度範囲内における留出量の少なくとも１つが含まれることを特徴とする請求項２に記載のガスクロマトグラフ。
【請求項４】
前記蒸留性状データ検索部は、前記基準値入力受付部により入力を受け付けた基準値にパラメータが近似する順に、所定数の蒸留性状データを検索することを特徴とする請求項２又は３に記載のガスクロマトグラフ。
【請求項５】
前記表示制御部により前記表示部に一度に表示される複数の試料についての蒸留性状データに基づいて、各蒸留性状データ間の標準偏差を算出する標準偏差算出部をさらに備え、
前記表示制御部は、前記標準偏差算出部により算出された標準偏差を前記表示部に表示させることを特徴とする請求項１〜４のいずれかに記載のガスクロマトグラフ。
【請求項６】
前記表示制御部により前記表示部に一度に表示される複数の試料についての蒸留性状データに基づいて、各蒸留性状データ間の平均値を算出する平均値算出部と、
前記標準偏差算出部により算出された標準偏差、及び、前記平均値算出部により算出された平均値に基づいて、各蒸留性状データ間の相対標準偏差を算出する相対標準偏差算出部とをさらに備え、
前記表示制御部は、前記相対標準偏差算出部により算出された相対標準偏差を前記表示部に表示させることを特徴とする請求項５に記載のガスクロマトグラフ。
【請求項７】
前記標準偏差算出部により算出された標準偏差に基づいて、各蒸留性状データ間の類似度を算出する類似度算出部をさらに備え、
前記表示処理部は、前記類似度算出部により算出された類似度を前記表示部に表示させることを特徴とする請求項５又は６に記載のガスクロマトグラフ。
【請求項８】
石油炭化水素を含む試料のガスクロマトグラフによる分析結果を表示部に表示させるための表示制御装置であって、
前記ガスクロマトグラフにおいて得られたガスクロマトグラムに基づいて、留出量と留出温度との関係を蒸留性状データとして算出する蒸留性状データ算出部と、
前記蒸留性状データ算出部により算出された複数の試料についての蒸留性状データを、互いに対応付けられた状態で一度に前記表示部に表示させる表示制御部とを備えたことを特徴とする表示制御装置。
【請求項９】
石油炭化水素を含む試料のガスクロマトグラフによる分析結果を表示部に表示させるための表示制御プログラムであって、
前記ガスクロマトグラフにおいて得られたガスクロマトグラムに基づいて、留出量と留出温度との関係を蒸留性状データとして算出する蒸留性状データ算出部と、
前記蒸留性状データ算出部により算出された複数の試料についての蒸留性状データを、互いに対応付けられた状態で一度に前記表示部に表示させる表示制御部としてコンピュータを機能させることを特徴とする表示制御プログラム。
【発明の詳細な説明】
【技術分野】
【０００１】
本発明は、石油系炭化水素を含む試料を分析するためのガスクロマトグラフ、並びに、これに用いられる表示制御装置及び表示制御プログラムに関するものである。
【背景技術】
【０００２】
例えば灯油、軽油、重油などの液体燃料や潤滑油は、一般的に、複数種類の石油系炭化水素の混合物である。このような石油系炭化水素を試料成分として含む試料を、ガスクロマトグラフを用いて通常の方法で分析した場合には、各試料成分を良好に分離して検出することが難しい（例えば、下記特許文献１参照）。そこで、この種の試料を分析する方法の一例として、蒸留ガスクロマトグラフ分析が知られている。
【０００３】
図８〜図１０は、蒸留ガスクロマトグラフ分析の態様について説明するための図である。図８は沸点変換線、図９はガスクロマトグラム、図１０は蒸留性状データの一例をそれぞれ示している。
【０００４】
蒸留ガスクロマトグラフ分析では、まず、沸点が既知である複数種類の石油系炭化水素を含む標準試料（例えば、ｎ−パラフィン混合物）が、ガスクロマトグラフに注入されて昇温分析が行われる。これにより、各試料成分が分離されて検出器で検出され、各試料成分の保持時間が測定される。その結果、図８に示すように、保持時間（横軸）と沸点（縦軸）との関係を表す沸点変換線が生成される。
【０００５】
次に、分析対象となる試料がガスクロマトグラフに注入され、沸点変換線を生成したときと同じ分析条件で昇温分析が行われる。これにより、図９に示すように、保持時間（横軸）と検出強度（縦軸）との関係を表すガスクロマトグラムが生成される。このようにして生成された図９のガスクロマトグラムと、図８の沸点変換線とを用いて演算を行うことにより、図１０に示すように、留出量（横軸）と留出温度（縦軸）との関係を表す蒸留性状データを生成することができる。
【０００６】
具体的には、図９のガスクロマトグラムが一定の時間間隔で分割され、当該ガスクロマトグラムの全体の面積Ｓａと、分析開始時から各時間帯までのガスクロマトグラムの面積Ｓｔとに基づいて、各時間帯に対応する留出量（Ｓｔ／Ｓａ）が算出される。このようにして算出された各留出量に対応する時間帯と、図８の沸点変換線における保持時間とを対応付けることにより、留出量と留出温度（沸点）との関係を表す蒸留性状データが生成される。
【０００７】
このような蒸留ガスクロマトグラフ分析の方法は、例えばＡＳＴＭ、ＩＳＯ、ＥＮ、ＪＩＳなどの規格で定められている。石油系炭化水素からなる各試料成分の多くは、比較的低い温度でピークが現れるため、短い分析時間で分離することは困難である。そのため、この種の分析では、１時間程度の比較的長い時間をかけて分析が行われるのが一般的である。
【先行技術文献】
【特許文献】
【０００８】
【特許文献１】特開平９−１８４８３２号公報
【発明の概要】
【発明が解決しようとする課題】
【０００９】
図１０に示すような蒸留性状データを解析すれば、着火性や揮発性などの試料の温度特性を確認することができる。しかしながら、従来の蒸留ガスクロマトグラフ分析では、１つの試料についての分析結果として、１つの蒸留性状データしか表示部に表示させることができなかった。
【００１０】
そのため、複数の試料についての蒸留性状データを容易に比較することができないという問題があった。また、温度特性が互いに近似する試料を見つけて分類したい場合などに、それらの複数の試料についての蒸留性状データを表示部に順次表示させて比較しなければならず、試料を容易に分類することができないという問題があった。
【００１１】
本発明は、上記実情に鑑みてなされたものであり、複数の試料についての蒸留性状データを容易に比較することができるガスクロマトグラフ、並びに、これに用いられる表示制御装置及び表示制御プログラムを提供することを目的とする。また、本発明は、温度特性が互いに近似する試料を容易に分類することができるガスクロマトグラフ、並びに、これに用いられる表示制御装置及び表示制御プログラムを提供することを目的とする。
【課題を解決するための手段】
【００１２】
本発明に係るガスクロマトグラフは、カラムと、検出器と、ガスクロマトグラム生成部と、蒸留性状データ算出部と、表示部と、表示制御部とを備える。前記カラムには、石油系炭化水素を試料成分として含む試料が導入される。前記検出器は、前記カラムを通過する過程で分離された試料成分を検出する。前記ガスクロマトグラム生成部は、前記検出器における検出結果に基づいてガスクロマトグラムを生成する。前記蒸留性状データ算出部は、前記ガスクロマトグラム生成部により生成されたガスクロマトグラムに基づいて、留出量と留出温度との関係を蒸留性状データとして算出する。前記表示部は、前記蒸留性状データ算出部により算出された蒸留性状データを表示する。前記表示制御部は、複数の試料についての蒸留性状データを、互いに対応付けられた状態で一度に前記表示部に表示させる。
【００１３】
このような構成によれば、複数の試料についての蒸留性状データが一度に表示部に表示されるため、それらの蒸留性状データを１つずつ表示部に表示させて比較する必要がない。そのため、複数の試料についての蒸留性状データを容易に比較することができる。
【００１４】
また、一度に表示部に表示される複数の蒸留性状データが、互いに対応付けられた状態で表示されるため、それらの蒸留性状データの特性を容易に比較することができる。これにより、温度特性が互いに近似する試料を容易に分類することができる。
【００１５】
前記ガスクロマトグラフは、基準値入力受付部と、蒸留性状データ検索部とをさらに備えていてもよい。前記基準値入力受付部は、蒸留性状データのパラメータの基準値の入力を受け付ける。前記蒸留性状データ検索部は、前記基準値入力受付部により入力を受け付けた基準値にパラメータが近似する蒸留性状データを検索する。この場合、前記表示制御部は、前記蒸留性状データ検索部により検索された複数の蒸留性状データを前記表示部に表示させてもよい。
【００１６】
このような構成によれば、蒸留性状データのパラメータの基準値を入力することにより、その基準値にパラメータが近似する蒸留性状データを自動で検索し、検索された複数の蒸留性状データを表示部に表示させることができる。したがって、所望の温度特性を基準値として入力することにより、当該基準値を基準として、温度特性が互いに近似する試料を容易に分類することができる。
【００１７】
また、作業者が所望の温度特性を基準値として入力するだけで、必要な蒸留性状データを自動で検索することができるため、作業者が蒸留性状データを１つずつ表示部に表示させて確認するような構成と比較して、作業負担を軽減することができる。
【００１８】
前記蒸留性状データのパラメータには、初留点、終点、及び、所定の温度範囲内における留出量の少なくとも１つが含まれていてもよい。
【００１９】
このような構成によれば、初留点、終点、及び、所定の温度範囲内における留出量の少なくとも１つを、蒸留性状データのパラメータの基準値として入力し、その基準値にパラメータが近似する蒸留性状データを自動で検索することができる。このようなパラメータにより、蒸留性状データの温度特性をより明確に特定することができるため、温度特性が互いに近似する試料を分類する際の精度を向上することができる。
【００２０】
前記蒸留性状データ検索部は、前記基準値入力受付部により入力を受け付けた基準値にパラメータが近似する順に、所定数の蒸留性状データを検索してもよい。
【００２１】
このような構成によれば、入力された基準値にパラメータがより近似する所定数の蒸留性状データを自動で検索し、それらの所定数の蒸留性状データのみを表示部に表示させることができる。これにより、必要な蒸留性状データを精度よく検索することができるため、作業負担をより軽減することができる。
【００２２】
前記ガスクロマトグラフは、標準偏差算出部をさらに備えていてもよい。前記標準偏差算出部は、前記表示制御部により前記表示部に一度に表示される複数の試料についての蒸留性状データに基づいて、各蒸留性状データ間の標準偏差を算出する。この場合、前記表示制御部は、前記標準偏差算出部により算出された標準偏差を前記表示部に表示させてもよい。
【００２３】
このような構成によれば、表示部に一度に表示される複数の蒸留性状データ間の標準偏差が表示部に表示されるため、作業者は、それらの蒸留性状データがどの程度近似しているかを標準偏差に基づいて判断することができる。したがって、複数の試料についての蒸留性状データをさらに容易に比較することができる。
【００２４】
前記ガスクロマトグラフは、平均値算出部と、相対標準偏差算出部とをさらに備えていてもよい。前記平均値算出部は、前記表示制御部により前記表示部に一度に表示される複数の試料についての蒸留性状データに基づいて、各蒸留性状データ間の平均値を算出する。前記相対標準偏差算出部は、前記標準偏差算出部により算出された標準偏差、及び、前記平均値算出部により算出された平均値に基づいて、各蒸留性状データ間の相対標準偏差を算出する。この場合、前記表示制御部は、前記相対標準偏差算出部により算出された相対標準偏差を前記表示部に表示させてもよい。
【００２５】
このような構成によれば、表示部に一度に表示される複数の蒸留性状データ間の相対標準偏差が表示部に表示されるため、作業者は、それらの蒸留性状データがどの程度近似しているかを相対標準偏差に基づいて判断することができる。したがって、複数の試料についての蒸留性状データをさらに容易に比較することができる。
【００２６】
前記ガスクロマトグラフは、類似度算出部をさらに備えていてもよい。前記類似度算出部は、前記標準偏差算出部により算出された標準偏差に基づいて、各蒸留性状データ間の類似度を算出する。この場合、前記表示処理部は、前記類似度算出部により算出された類似度を前記表示部に表示させてもよい。
【００２７】
このような構成によれば、表示部に一度に表示される複数の蒸留性状データ間の標準偏差に基づいて、それらの蒸留性状データ間の類似度を算出し、当該類似度を表示部に表示させることができる。これにより、作業者にとって直感的に分かりやすい類似度を用いて、複数の試料についての蒸留性状データをさらに容易に比較することができる。
【００２８】
本発明に係る表示制御装置は、石油炭化水素を含む試料のガスクロマトグラフによる分析結果を表示部に表示させるための表示制御装置であって、蒸留性状データ算出部と、表示制御部とを備える。前記蒸留性状データ算出部は、前記ガスクロマトグラフにおいて得られたガスクロマトグラムに基づいて、留出量と留出温度との関係を蒸留性状データとして算出する。前記表示制御部は、前記蒸留性状データ算出部により算出された複数の試料についての蒸留性状データを、互いに対応付けられた状態で一度に前記表示部に表示させる。
【００２９】
本発明に係る表示制御プログラムは、石油炭化水素を含む試料のガスクロマトグラフによる分析結果を表示部に表示させるための表示制御プログラムであって、蒸留性状データ算出部と、表示制御部としてコンピュータを機能させる。前記蒸留性状データ算出部は、前記ガスクロマトグラフにおいて得られたガスクロマトグラムに基づいて、留出量と留出温度との関係を蒸留性状データとして算出する。前記表示制御部は、前記蒸留性状データ算出部により算出された複数の試料についての蒸留性状データを、互いに対応付けられた状態で一度に前記表示部に表示させる。
【発明の効果】
【００３０】
本発明によれば、蒸留性状データを１つずつ表示部に表示させて比較する必要がないため、複数の試料についての蒸留性状データを容易に比較することができる。また、本発明によれば、複数の試料についての蒸留性状データの特性を容易に比較することができるため、温度特性が互いに近似する試料を容易に分類することができる。
【図面の簡単な説明】
【００３１】
【図１】本発明の一実施形態に係るガスクロマトグラフの構成例を示した概略図である。
【図２】制御装置の構成例を示したブロック図である。
【図３】表示部に対する表示態様の一例を示した図である。
【図４】蒸留性状データのパラメータについて説明するための図である。
【図５Ａ】初留点及び終点の基準値を入力する際の入力画面の一例を示した図である。
【図５Ｂ】所定の温度範囲内における留出量の基準値を入力する際の入力画面の一例を示した図である。
【図６】付加データ算出部の構成例を示したブロック図である。
【図７】蒸留性状データを表示部に表示させる際の制御部による処理の一例を示したフローチャートである。
【図８】蒸留ガスクロマトグラフ分析の態様について説明するための図であり、沸点変換線の一例を示している。
【図９】蒸留ガスクロマトグラフ分析の態様について説明するための図であり、ガスクロマトグラムの一例を示している。
【図１０】蒸留ガスクロマトグラフ分析の態様について説明するための図であり、蒸留性状データの一例を示している。
【発明を実施するための形態】
【００３２】
図１は、本発明の一実施形態に係るガスクロマトグラフの構成例を示した概略図である。このガスクロマトグラフは、分析部１及び制御装置２を備えており、分析部１の動作を制御装置２で制御することにより、蒸留ガスクロマトグラフ分析を行うことができる。
【００３３】
分析部１には、例えばカラム１１、試料気化室１２、カラムオーブン１３、ＡＦＣ（Advanced Flow Controller）１４及び検出器１５が備えられている。カラム１１は、例えばキャピラリカラムからなり、その上流端が試料気化室１２に接続されるとともに、下流端が検出器１５に接続されている。
【００３４】
カラム１１は、ヒータ及びファンなど（いずれも図示せず）とともにカラムオーブン１３内に収容されている。カラムオーブン１３は、カラム１１を加熱するためのものであり、分析時にはヒータ及びファンを適宜駆動させることにより、カラムオーブン１３内の温度を一定に維持しながら分析を行う恒温分析、又は、カラムオーブン１３内の温度を徐々に上昇させながら分析を行う昇温分析などが実行可能となっている。
【００３５】
カラム１１には、ＡＦＣ１４を介してキャリアガスが供給される。カラム１１内に供給されるキャリアガスの流量は、ＡＦＣ１４により調整することができる。キャリアガスとしては、例えばＨｅガスが用いられる。分析時には、試料気化室１２にキャリアガスが供給され、試料気化室１２内で気化された試料が、キャリアガスとともにカラム１１内に導入される。そして、カラム１１を通過する過程で分離された各試料成分が、検出器１５により順次検出される。
【００３６】
本実施形態では、例えば灯油、軽油、重油といった液体燃料や潤滑油などのように、石油系炭化水素を試料成分として含む試料がカラム１１に導入される。ここで、石油系炭化水素としては、ガソリン、ナフサ、軽油、重油、ジェット燃料、潤滑油、ベースストックオイル、原油、植物油、バイオ燃料などを例示することができる。検出器１５は、例えば水素炎イオン化型検出器、熱伝導度型検出器、電子捕獲型検出器、炎光光度検出器又は質量分析計などにより構成することができる。
【００３７】
図２は、制御装置２の構成例を示したブロック図である。制御装置２は、制御部２１、記憶部２２、表示部２３及び操作部２４などを備えている。制御装置２は、例えばパーソナルコンピュータにより構成することができる。
【００３８】
制御部２１は、例えばＣＰＵ（Central Processing Unit）を含む構成であり、ＣＰＵがプログラムを実行することにより、ガスクロマトグラム生成部２１１、沸点変換線算出部２１２、蒸留性状データ算出部２１３、表示制御部２１４、基準値入力受付部２１５、蒸留性状データ検索部２１６及び付加データ算出部２１７などとして機能する。
【００３９】
記憶部２２は、例えばＲＡＭ（Random Access Memory）、ＲＯＭ（Read Only Memory）及びハードディスクなどにより構成することができる。記憶部２２には、沸点変換線記憶部２２１及び蒸留性状データ記憶部２２２などが割り当てられている。
【００４０】
表示部２３は、例えば液晶表示器により構成され、分析部１における分析結果や操作画面などを表示することができる。操作部２４は、例えばキーボード及びマウスにより構成され、当該操作部２４を作業者が操作することにより、制御部２１の処理に関する設定操作などを行うことができる。
【００４１】
ガスクロマトグラム生成部２１１は、検出器１５における検出結果に基づいて、例えば保持時間を横軸、検出器１５での検出強度を縦軸とするガスクロマトグラムを生成する（図９参照）。沸点変換線算出部２１２及び蒸留性状データ算出部２１３は、それぞれガスクロマトグラム生成部２１１で生成されたガスクロマトグラムに基づいて演算を行う。
【００４２】
具体的には、蒸留ガスクロマトグラフ分析に先立って、まず、沸点が既知である複数種類の石油系炭化水素を含む標準試料（例えば、ｎ−パラフィン混合物）が、ガスクロマトグラフに注入されて昇温分析が行われる。これにより、標準試料についてのガスクロマトグラムがガスクロマトグラム生成部２１１において生成され、そのガスクロマトグラムに基づいて、保持時間と沸点との関係を表す沸点変換線が沸点変換線算出部２１２により算出される。
【００４３】
このとき、沸点変換線算出部２１２の処理により、例えば保持時間を横軸、沸点を縦軸とする沸点変換線が生成される（図８参照）。沸点変換線算出部２１２において生成された沸点変換線は、沸点変換線記憶部２２１に記憶される。
【００４４】
蒸留ガスクロマトグラフ分析時には、分析対象となる試料がガスクロマトグラフに注入され、沸点変換線を生成したときと同じ分析条件で昇温分析が行われる。これにより、分析対象となる試料についてのガスクロマトグラムがガスクロマトグラム生成部２１１において生成され、そのガスクロマトグラムに基づいて、留出量と留出温度との関係が蒸留性状データとして蒸留性状データ算出部２１３により算出される。
【００４５】
このとき、蒸留性状データ算出部２１３の処理により、例えば留出量を横軸、留出温度を縦軸とする蒸留性状データが生成される（図１０参照）。複数の試料について蒸留ガスクロマトグラフ分析を行った場合には、各試料についての蒸留性状データが生成され、それらの蒸留性状データが蒸留性状データ記憶部２２２に記憶される。
【００４６】
表示制御部２１４は、表示部２３への表示についての制御を行う。この表示制御部２１４の処理により、表示部２３には、蒸留性状データ記憶部２２２に記憶されている蒸留性状データを表示させることができる。本実施形態では、蒸留性状データ記憶部２２２に記憶されている複数の試料についての蒸留性状データを、互いに対応付けられた状態で一度に表示部２３に表示させることができるようになっている。
【００４７】
図３は、表示部２３に対する表示態様の一例を示した図である。この例では、表示部２３の表示画面に、グラフ表示領域２３１及びテーブル表示領域２３２が表示されるようになっている。ただし、このような構成に限らず、グラフ表示領域２３１又はテーブル表示領域２３２のいずれか一方のみが表示部２３の表示画面に表示されるような構成であってもよい。
【００４８】
グラフ表示領域２３１には、複数の試料についての蒸留性状データがグラフで表示される。このとき、同じ横軸（留出量）及び縦軸（留出温度）を基準に複数の蒸留性状データがグラフで表示されることにより、各蒸留性状データのグラフが互いに対応付けられた状態で一度に表示される。
【００４９】
テーブル表示領域２３２には、蒸留性状データ表示領域２３２ａ及び付加データ表示領域２３２ｂが含まれる。蒸留性状データ表示領域２３２ａには、複数の試料についての蒸留性状データがテーブルとして数値で表示される。蒸留性状データ表示領域２３２ａに表示される蒸留性状データは、グラフ表示領域２３１に表示される蒸留性状データに対応している。
【００５０】
蒸留性状データ表示領域２３２ａにおけるテーブルの各行には、同じ留出量における各蒸留性状データの留出温度が表示されることにより、各蒸留性状データのテーブルが互いに対応付けられた状態で一度に表示される。付加データ表示領域２３２ｂは、各蒸留性状データに関する付加データを表示する領域であるが、これについては後述する。
【００５１】
このように、本実施形態では、複数の試料についての蒸留性状データが、表示部２３のグラフ表示領域２３１やテーブル表示領域２３２に一度に表示されるため、それらの蒸留性状データを１つずつ表示部２３に表示させて比較する必要がない。そのため、複数の試料についての蒸留性状データを容易に比較することができる。
【００５２】
また、一度に表示部２３に表示される複数の蒸留性状データが、グラフ表示領域２３１やテーブル表示領域２３２において互いに対応付けられた状態で表示されるため、それらの蒸留性状データの特性を容易に比較することができる。すなわち、グラフ表示領域２３１では各蒸留性状データを視覚的に容易に比較することができ、テーブル表示領域２３２では各蒸留性状データの数値を容易に比較することができる。これにより、温度特性が互いに近似する試料を容易に分類することができる。
【００５３】
本実施形態では、上記のように表示部２３に一度に表示される複数の試料についての蒸留性状データが、互いに近似する蒸留性状データに絞られるようになっている。具体的には、作業者が操作部２４を操作して、蒸留性状データのパラメータの基準値を入力することにより、その基準値にパラメータが近似する蒸留性状データに絞って表示部２３に表示させることができる。
【００５４】
なお、複数の試料についての蒸留性状データを、互いに対応付けられた状態で一度に表示部２３に表示させるという概念には、共通のパラメータを基準として各蒸留性状データを一度に表示させる態様が含まれる。図３の例では、留出量及び留出温度を共通のパラメータとして、当該パラメータを基準にグラフ及びテーブルがそれぞれ同一の表示領域（グラフ表示領域２３１及びテーブル表示領域２３２）に表示されている。
【００５５】
図４は、蒸留性状データのパラメータについて説明するための図である。当該パラメータには、例えば留出量及び留出温度が含まれ、より具体的には初留点、終点、及び、所定の温度範囲内における留出量などが含まれる。
【００５６】
図４に示すように、初留点とは、留出量が０％に近い所定の第１閾値（例えば０．０５％）に到達する温度である。また、終点とは、留出量が１００％に近い所定の第２閾値（例えば、９９．９５％）に到達する温度である。所定の温度範囲内における留出量とは、任意の開始温度及び終了温度の間における留出量であり、当該温度範囲内での温度変化に伴う留出量の変化率（傾き）を意味している。
【００５７】
図５Ａは、初留点及び終点の基準値を入力する際の入力画面の一例を示した図である。また、図５Ｂは、所定の温度範囲内における留出量の基準値を入力する際の入力画面の一例を示した図である。
【００５８】
複数の試料についての蒸留性状データを表示部２３に一度に表示させる場合には、図５Ａに示すような蒸留検索設定画面２３３が予め表示部２３に表示される。この蒸留検索設定画面２３３には、初留点入力領域２３３ａ、終点入力領域２３３ｂ、詳細キー２３３ｃ、ＯＫキー２３３ｄ及びキャンセルキー２３３ｅなどが含まれる。
【００５９】
作業者は、操作部２４を操作することにより、初留点入力領域２３３ａを指定して初留点の基準値を入力したり、終点入力領域２３３ｂを指定して終点の基準値を入力したりすることができる。また、詳細キー２３３ｃが指定されれば、図５Ｂに示すような詳細設定画面２３４が表示部２３に表示され、所定の温度範囲内における留出量の基準値を入力することができる。
【００６０】
詳細設定画面２３４には、開始温度入力領域２３４ａ、終了温度入力領域２３４ｂ、留出度入力領域２３４ｃ、ＯＫキー２３４ｄ及びキャンセルキー２３４ｅなどが含まれる。作業者は、操作部２４を操作することにより、開始温度入力領域２３４ａを指定して開始温度を入力したり、終了温度入力領域２３４ｂを指定して終了温度を入力したり、留出度入力領域２３４ｃを指定して留出度を入力したりすることができる。これらの入力が行われた後にＯＫキー２３４ｄが指定されれば、入力内容が設定された上で図５Ａの蒸留検索設定画面２３３に戻る。一方、キャンセルキー２３４ｅが指定された場合には、入力内容は設定されずにクリアされた上で図５Ａの蒸留検索設定画面２３３に戻る。
【００６１】
図５Ａの蒸留検索設定画面２３３でＯＫキー２３３ｄが指定された場合には、初留点入力領域２３３ａに入力された初留点の基準値、終点入力領域２３３ｂに入力された終点の基準値、及び、図５Ｂの詳細設定画面２３４で入力された開始温度、終了温度、留出度などが設定され、蒸留性状データのパラメータの基準値についての入力作業が完了する。一方、キャンセルキー２３３ｅが指定された場合には、蒸留性状データのパラメータの基準値が設定されないまま入力作業が終了する。
【００６２】
ただし、蒸留性状データのパラメータとしては、初留点、終点、開始温度、終了温度及び留出量を全て入力するような構成に限らず、これらのパラメータのうち少なくとも１つのパラメータを入力するような構成、又は、他のパラメータを入力するような構成であってもよい。
【００６３】
再び図２を参照して、図５Ａ及び図５Ｂのような入力画面で入力された蒸留性状データのパラメータの基準値は、基準値入力受付部２１５により受け付けられる。蒸留性状データ検索部２１６は、基準値入力受付部２１５により入力を受け付けた基準値にパラメータ（初留点、終点、及び、所定の温度範囲内における留出量など）が近似する蒸留性状データを検索する。図３に示すようなグラフ表示領域２３１及びテーブル表示領域２３２には、蒸留性状データ検索部２１６により検索された複数の蒸留性状データが表示される。
【００６４】
すなわち、蒸留性状データのパラメータの基準値を入力することにより、その基準値にパラメータが近似する蒸留性状データを自動で検索し、検索された複数の蒸留性状データを表示部２３に表示させることができる。したがって、所望の温度特性を基準値として入力することにより、当該基準値を基準として、温度特性が互いに近似する試料を容易に分類することができる。
【００６５】
また、図５Ａ及び図５Ｂのような入力画面で、作業者が所望の温度特性を基準値として入力するだけで、必要な蒸留性状データを自動で検索することができるため、作業者が蒸留性状データを１つずつ表示部２３に表示させて確認するような構成と比較して、作業負担を軽減することができる。
【００６６】
特に、初留点、終点、及び、所定の温度範囲内における留出量などのパラメータにより、蒸留性状データの温度特性をより明確に特定することができるため、温度特性が互いに近似する試料を分類する際の精度を向上することができる。
【００６７】
本実施形態では、蒸留性状データ検索部２１６が、基準値入力受付部２１５により入力を受け付けた基準値にパラメータが近似する順に、所定数の蒸留性状データを検索するようになっている。すなわち、初留点、終点、及び、所定の温度範囲内における留出量などのパラメータについて、入力された基準値に近い順に各蒸留性状データの順位付けが行われ、上位から所定数の蒸留性状データが検索結果として表示部２３に表示されるようになっている。
【００６８】
例えば図３の例では、入力された基準値にパラメータがより近似する蒸留性状データとして、３つの蒸留性状データが自動で検索され、それらの３つの蒸留性状データのみが表示部２３に表示されている。これにより、必要な蒸留性状データを精度よく検索することができるため、作業負担をより軽減することができる。ただし、検索結果として表示部２３に表示される蒸留性状データの数は、３つに限らず、２つ以下であってもよいし、４つ以上であってもよい。また、表示部２３に表示される蒸留性状データの数を作業者が設定できるような構成であってもよい。
【００６９】
パラメータが近似しているか否かの判断は、パラメータごとに重み付けを行った上で、順位付けが行われるような構成であってもよい。この場合、例えば初留点が最も高い優先順位で判断され、終点が次に高い優先順位で判断され、所定の温度範囲内における留出量が次に高い優先順位で判断されるように、パラメータごとに重み付けが行われてもよい。
【００７０】
ただし、パラメータごとの重み付けは、上記のような態様に限られるものではない。また、近似しているか否かの判断の対象となるパラメータは、初留点、終点、及び、所定の温度範囲内における留出量を全て含むような構成に限らず、例えばいずれか１つのパラメータだけでもよいし、初留点及び終点などのように一部のパラメータだけであってもよい。
【００７１】
付加データ算出部２１７は、蒸留性状データ検索部２１６により検索された複数の蒸留性状データについて、各蒸留性状データの関係を表す付加データを算出する。付加データ算出部２１７により算出された付加データは、表示制御部２１４により表示部２３に表示される。図３の例では、テーブル表示領域２３２の蒸留性状データ表示領域２３２ａに表示された各蒸留性状データに対応付けて、付加データ表示領域２３２ｂに付加データが表示されている。
【００７２】
付加データは、例えば各蒸留性状データ間の平均温度、最大温度、最小温度、標準偏差及び相対標準偏差（％ＲＳＤ）などであり、図３の例では、留出量を一定間隔（例えば１０％間隔）で区切って各留出量に対応付けて表示されている。平均温度は、各留出量における各蒸留性状データ間の留出温度の平均値である。最大温度は、各留出量における各蒸留性状データの留出温度の最大値である。最小温度は、各留出量における各蒸留性状データの留出温度の最小値である。標準偏差は、各留出量における各蒸留性状データ間の標準偏差である。相対標準偏差は、各留出量における各蒸留性状データ間の相対標準偏差である。
【００７３】
ただし、表示部２３に表示される付加データは、各蒸留性状データ間の平均温度、最大温度、最小温度、標準偏差及び相対標準偏差に限らず、他のデータであってもよい。例えば、本実施形態では、各蒸留性状データ間の類似度なども、付加データとして表示部２３に表示させることができるようになっている。
【００７４】
図６は、付加データ算出部２１７の構成例を示したブロック図である。付加データ算出部２１７には、例えば標準偏差算出部２１７ａ、平均値算出部２１７ｂ、相対標準偏差算出部２１７ｃ及び類似度算出部２１７ｄなどが含まれている。
【００７５】
標準偏差算出部２１７ａは、表示部２３に一度に表示される複数の試料についての蒸留性状データに基づいて、各蒸留性状データ間の標準偏差を算出する。本実施形態では、図３のように、蒸留性状データ検索部２１６により検索された３つの蒸留性状データについて、一定間隔で区切られた各留出量における標準偏差が算出される。算出された標準偏差は、表示制御部２１４により、表示部２３のテーブル表示領域２３２における付加データ表示領域２３２ｂに、各留出量に対応付けて表示される。
【００７６】
平均値算出部２１７ｂは、表示部２３に一度に表示される複数の試料についての蒸留性状データに基づいて、各蒸留性状データ間の平均値を算出する。本実施形態では、図３のように、蒸留性状データ検索部２１６により検索された３つの蒸留性状データについて、一定間隔で区切られた各留出量における平均値が算出される。算出された平均値は、表示制御部２１４により、表示部２３のテーブル表示領域２３２における付加データ表示領域２３２ｂに、各留出量に対応付けて表示される。
【００７７】
相対標準偏差算出部２１７ｃは、標準偏差算出部２１７ａにより算出された標準偏差、及び、平均値算出部２１７ｂにより算出された平均値に基づいて、各蒸留性状データ間の相対標準偏差を算出する。具体的には、一定間隔で区切られた各留出量における標準偏差及び平均値を用いて、標準偏差を平均値で除算した値に１００を乗算することにより、相対標準偏差（％）を算出することができる。この相対標準偏差は、値が小さいほど、平均値の周辺におけるデータのばらつきが小さいことを表している。算出された相対標準偏差は、表示制御部２１４により、表示部２３のテーブル表示領域２３２における付加データ表示領域２３２ｂに、各留出量に対応付けて表示される。
【００７８】
このように、本実施形態では、表示部２３に一度に表示される複数の蒸留性状データ間の標準偏差及び相対標準偏差が表示部２３に表示されるため、作業者は、それらの蒸留性状データがどの程度近似しているかを標準偏差及び相対標準偏差に基づいて判断することができる。したがって、複数の試料についての蒸留性状データをさらに容易に比較することができる。ただし、標準偏差及び相対標準偏差の両方が表示部２３に表示されるような構成に限らず、いずれか一方のみが表示されるような構成であってもよいし、いずれも表示されない構成であってもよい。
【００７９】
類似度算出部２１７ｄは、標準偏差算出部２１７ａにより算出された標準偏差に基づいて、表示部２３に一度に表示される複数の蒸留性状データ間の類似度を算出する。この類似度は、例えば各蒸留性状データが全体としてどの程度類似しているかを表す指標であり、算出された類似度は、表示制御部２１４により表示部２３に表示される。
【００８０】
図３の例では、互いに類似すると判断された蒸留性状データＤ１，Ｄ２が表示部２３のグラフ表示領域２３１に同じ線種（実線）で表示され、これらの蒸留性状データＤ１，Ｄ２に類似しないと判断された蒸留性状データＤ３が異なる線種（破線）で表示されている。ただし、このように線種により類似度を区別するような構成に限らず、線の色などの他の態様で区別してもよいし、類似度の数値を表示してもよい。
【００８１】
このように、本実施形態では、表示部２３に一度に表示される複数の蒸留性状データ間の標準偏差に基づいて、それらの蒸留性状データ間の類似度を算出し、当該類似度を表示部２３に表示させることができる。これにより、作業者にとって直感的に分かりやすい類似度を用いて、複数の試料についての蒸留性状データをさらに容易に比較することができる。ただし、類似度が表示部２３に表示されないような構成とすることも可能である。
【００８２】
図７は、蒸留性状データを表示部２３に表示させる際の制御部２１による処理の一例を示したフローチャートである。蒸留ガスクロマトグラフ分析時には、分析対象となる各試料がガスクロマトグラムに順次注入されることにより、各試料についてのガスクロマトグラムが生成される（ステップＳ１０１：ガスクロマトグラム生成ステップ）。そして、生成されたガスクロマトグラムに基づいて、各試料についての留出量と留出温度との関係を表す蒸留性状データが算出される（ステップＳ１０２：蒸留性状データ算出ステップ）。
【００８３】
このようにして、全てのガスクロマトグラムについての蒸留ガスクロマトグラフ分析が完了すると（ステップＳ１０３でＹｅｓ）、予め入力されている蒸留性状データのパラメータの基準値に基づいて、当該基準値にパラメータが近似する複数の蒸留性状データが検索される（ステップＳ１０４：蒸留性状データ検索ステップ）。また、検索された複数の蒸留性状データについて、各蒸留性状データの関係を表す付加データが算出される（ステップＳ１０５：付加データ算出ステップ）。
【００８４】
その後、検索された複数の蒸留性状データが、グラフ表示領域２３１及びテーブル表示領域２３２の蒸留性状データ表示領域２３２ａに表示されるとともに、各蒸留性状データについての付加データが、テーブル表示領域２３２の付加データ表示領域２３２ｂに表示される（ステップＳ１０６：表示処理ステップ）。
【００８５】
以上の実施形態では、作業者が入力した基準値にパラメータが近似する蒸留性状データを検索し、検索された複数の蒸留性状データが表示部２３に表示されるような構成について説明した。しかし、このような構成に限らず、予め定められた基準値にパラメータが近似する蒸留性状データを検索して表示させるような構成であってもよいし、検索を行わずに全て又は一部の蒸留性状データを表示させるような構成であってもよい。
【００８６】
また、以上の実施形態では、ガスクロマトグラフの動作を制御する制御装置２が、ガスクロマトグラフによる分析結果を表示部２３に表示させるための表示制御装置として機能するような構成について説明した。しかし、このような構成に限らず、表示制御装置がガスクロマトグラフとは分離して構成されていてもよい。
【００８７】
さらに、以上の実施形態では、ガスクロマトグラフ及びこれに用いられる表示制御装置について説明したが、コンピュータを表示制御装置として機能させるためのプログラム（表示制御プログラム）を提供することも可能である。この場合、上記プログラムは、記憶媒体に記憶された状態で提供されるような構成であってもよいし、プログラム自体が提供されるような構成であってもよい。
【符号の説明】
【００８８】
１    分析部
２    制御装置
１１    カラム
１２    試料気化室
１３    カラムオーブン
１４    ＡＦＣ
１５    検出器
２１    制御部
２２    記憶部
２３    表示部
２４    操作部
２１１    ガスクロマトグラム生成部
２１２    沸点変換線算出部
２１３    蒸留性状データ算出部
２１４    表示制御部
２１５    基準値入力受付部
２１６    蒸留性状データ検索部
２１７    付加データ算出部
２１７ａ  標準偏差算出部
２１７ｂ  平均値算出部
２１７ｃ  相対標準偏差算出部
２１７ｄ  類似度算出部
２２１    沸点変換線記憶部
２２２    蒸留性状データ記憶部
２３１    グラフ表示領域
２３２    テーブル表示領域
２３２ａ  蒸留性状データ表示領域
２３２ｂ  付加データ表示領域
２３３    蒸留検索設定画面
２３４    詳細設定画面
Ｄ１〜Ｄ３  蒸留性状データ
【図１】
2015118013.tif 000003
【図２】
2015118013.tif 000004
【図３】
2015118013.tif 000005
【図４】
2015118013.tif 000006
【図５Ａ】
2015118013.tif 000007
【図５Ｂ】
2015118013.tif 000008
【図６】
2015118013.tif 000009
【図７】
2015118013.tif 000010
【図８】
2015118013.tif 000011
【図９】
2015118013.tif 000012
【図１０】
2015118013.tif 000013